(57)【要約】【課題】給紙用のモータの温度上昇を抑制しつつ、読取処理速度の低下をも抑制することが可能な画像読取装置を提供する。【解決手段】コピー装置（画像読取装置）１の搬送制御部は、通常状態においては、第１の間隔で複数の用紙を順次に搬送する。また、搬送制御部は、特定状態において、「画質優先モード」が設定されている場合には、比較的大きな第２の間隔で複数の用紙を順次に搬送する。さらに、搬送制御部は、特定状態において、「速度優先モード」が設定されている場合には、原稿ＰＡの下流側端がレジストローラ３４に突き当てられた後から原稿ＰＡの上流側端が中間ローラ３３の位置を通過するまでの期間の少なくとも一部において、第１のモータによる中間ローラ３３の駆動を停止させ且つ第２のモータでレジストローラを駆動することによって用紙を搬送する。これにより、第２の間隔よりも小さな第３の間隔で、複数の用紙が順次に搬送される。【選択図】図１３
2012070026.tif 000002
【特許請求の範囲】
【請求項１】
画像読取装置であって、
読取対象の用紙を搬送経路に供給する給紙ローラと、
前記給紙ローラよりも下流側に設けられ、前記用紙をさらに下流側に向けて搬送する搬送ローラと、
前記搬送ローラよりも下流側に設けられ、前記用紙をさらに下流側に向けて搬送するレジストローラと、
前記給紙ローラと前記搬送ローラとを駆動する第１のモータと、
前記レジストローラを駆動する第２のモータと、
前記搬送経路において前記レジストローラよりも下流側の読取位置で原稿を読み取る読取センサと、
前記第１のモータと前記第２のモータとを制御して前記用紙の搬送動作を制御する搬送制御手段と、
読取画質を優先させる画質優先モードと読取処理速度を優先させる速度優先モードとを選択的に設定する設定手段と、
を備え、
前記搬送制御手段は、
ａ）第１の状態においては、第１の搬送時間間隔で複数の用紙を順次に搬送し、
ｂ）所定条件を充足する第２の状態においては、
ｂ−１）前記画質優先モードが設定されている場合には、
前記第１の搬送時間間隔よりも大きな第２の搬送時間間隔で複数の用紙を順次に搬送し、
ｂ−２）前記速度優先モードが設定されている場合には、
前記用紙の下流側端がレジストローラに突き当てられた後から前記用紙の上流側端が前記搬送ローラの位置を通過するまでの期間の少なくとも一部において、前記第１のモータによる前記搬送ローラの駆動を停止させ且つ前記第２のモータで前記レジストローラを駆動することによって前記用紙を搬送する動作、を含む搬送制御動作によって、前記第２の搬送時間間隔よりも小さな第３の搬送時間間隔で、複数の用紙を順次に搬送することを特徴とする画像読取装置。
【請求項２】
請求項１に記載の画像読取装置において、
前記第３の搬送時間間隔は、前記第１の搬送時間間隔に等しいことを特徴とする画像読取装置。
【請求項３】
請求項１に記載の画像読取装置において、
前記所定条件は、１回の連続的スキャン動作中において連続的に読み取った枚数が所定値を超えたこと、を含むことを特徴とする画像読取装置。
【請求項４】
請求項１に記載の画像読取装置において、
前記搬送制御手段は、前記第２の状態において前記速度優先モードが設定されているときには、前記用紙の上流側端が前記搬送ローラによるニップ位置を通過する前であっても、前記レジストローラよりも下流側に設けられた別の搬送ローラに前記用紙がニップされた時点以降において、前記第１のモータによる前記搬送ローラの駆動を停止させ且つ前記第２のモータで前記レジストローラを駆動することを特徴とする画像読取装置。
【請求項５】
請求項１に記載の画像読取装置において、
前記第２の状態において前記速度優先モードが設定されているときには、前記第１のモータの駆動停止期間に前記読取手段により生成された部分画像に対して、画像間引き処理を施す画像処理手段、
をさらに備えることを特徴とする画像読取装置。
【請求項６】
画像読取装置であって、
読取対象の用紙を搬送経路に供給する給紙ローラと、
前記給紙ローラよりも下流側に設けられ、前記用紙をさらに下流側に向けて搬送する搬送ローラと、
前記搬送ローラよりも下流側に設けられ、前記用紙をさらに下流側に向けて搬送するレジストローラと、
前記給紙ローラと前記搬送ローラとを駆動する第１のモータと、
前記レジストローラを駆動する第２のモータと、
前記搬送経路において前記レジストローラよりも下流側の読取位置で原稿を読み取る読取センサと、
前記第１のモータと前記第２のモータとを制御して前記用紙の搬送動作を制御する搬送制御手段であって、前記第１のモータで前記給紙ローラを駆動することによって前記用紙を前記搬送経路に供給し、前記第１のモータで前記搬送ローラを駆動することによって前記用紙の下流側端を前記レジストローラに突き当てるように、前記用紙を搬送する搬送制御手段と、
読取画質を優先させる画質優先モードと読取処理速度を優先させる速度優先モードとを選択的に設定する設定手段と、
を備え、
前記搬送制御手段は、
ａ）第１の状態においては、
前記用紙の下流側端がレジストローラに突き当てられた後から前記用紙の上流側端が前記搬送ローラの位置を通過するまでは前記第２のモータで前記レジストローラを駆動しつつ前記第１のモータで前記搬送ローラをも駆動して前記用紙を搬送する動作、を含む通常の搬送制御動作を行うことによって、第１の搬送時間間隔で複数の用紙を順次に搬送し、
ｂ）所定条件を充足する第２の状態においては、
ｂ−１）前記画質優先モードが設定されている場合には、
前記用紙の下流側端がレジストローラに突き当てられた後から前記用紙の上流側端が前記搬送ローラの位置を通過するまでは前記第２のモータで前記レジストローラを駆動しつつ前記第１のモータで前記搬送ローラをも駆動して前記用紙を搬送するとともに前記用紙の上流側端が前記搬送ローラの位置を通過した後において前記第１のモータを所定期間停止する動作、を含む第１の搬送制御動作を行うことによって、前記第１の搬送時間間隔よりも大きな第２の搬送時間間隔で複数の用紙を順次に搬送し、
ｂ−２）前記速度優先モードが設定されている場合には、
前記用紙の下流側端がレジストローラに突き当てられた後から前記用紙の上流側端が前記搬送ローラの位置を通過するまでの期間の少なくとも一部において、前記第１のモータによる前記搬送ローラの駆動を停止させ且つ前記第２のモータで前記レジストローラを駆動することによって前記用紙を搬送する動作、を含む第２の搬送制御動作によって、前記第２の搬送時間間隔よりも小さな第３の搬送時間間隔で、複数の用紙を順次に搬送することを特徴とする画像読取装置。
【請求項７】
請求項６に記載の画像読取装置において、
前記搬送制御手段は、
前記第２の状態においては、搬送方向における前記用紙の用紙サイズが前記搬送ローラの位置と前記読取位置との間の搬送経路長よりも大きいことを条件として、
前記画質優先モードが設定されている場合には、前記第１の搬送制御動作を行うことによって前記第２の搬送時間間隔で複数の用紙を順次に搬送し、
前記速度優先モードが設定されている場合には、前記第２の搬送制御動作を行うことによって前記第３の搬送時間間隔で複数の用紙を順次に搬送することを特徴とする画像読取装置。
【請求項８】
請求項６に記載の画像読取装置において、
前記搬送制御手段は、
前記第２の状態においては、前記用紙のサイズが所定サイズよりも大きいことを条件として、
前記画質優先モードが設定されているときには、前記第１の搬送制御動作を行うことによって前記第２の搬送時間間隔で複数の用紙を順次に搬送し、
前記速度優先モードが設定されているときには、前記第２の搬送制御動作を行うことによって前記第３の搬送時間間隔で複数の用紙を順次に搬送することを特徴とする画像読取装置。
【請求項９】
画像読取装置であって、
読取対象の用紙を搬送経路に供給する給紙ローラと、
前記給紙ローラよりも下流側に設けられ、前記用紙をさらに下流側に向けて搬送する搬送ローラと、
前記搬送ローラよりも下流側に設けられ、前記用紙をさらに下流側に向けて搬送するレジストローラと、
前記給紙ローラと前記搬送ローラとを駆動する第１のモータと、
前記レジストローラを駆動する第２のモータと、
前記搬送経路において前記レジストローラよりも下流側の読取位置で原稿を読み取る読取センサと、
前記第１のモータと前記第２のモータとを制御して前記用紙の搬送動作を制御する搬送制御手段と、
読取画質を優先させる画質優先モードと読取処理速度を優先させる速度優先モードとを選択的に設定する設定手段と、
を備え、
前記搬送制御手段は、
ａ）前記用紙のサイズが所定サイズよりも小さい場合には、
ａ−１）通常状態においては、第１の搬送時間間隔で複数の用紙を順次に搬送し、
ａ−２）所定条件を充足する特定状態においては、前記第１の搬送時間間隔よりも大きな第２の搬送時間間隔で複数の用紙を順次に搬送し、
ｂ）前記用紙のサイズが所定サイズよりも大きい場合には、
ｂ−１）前記通常状態においては、第３の搬送時間間隔で複数の用紙を順次に搬送し、
ｂ−２）前記特定状態においては、
前記画質優先モードが設定されているときには、前記第３の搬送時間間隔よりも大きな第４の搬送時間間隔で複数の用紙を順次に搬送し、
前記速度優先モードが設定されているときには、前記用紙の下流側端がレジストローラに突き当てられた後から前記用紙の上流側端が前記搬送ローラの位置を通過するまでの期間の少なくとも一部において、前記第１のモータによる前記搬送ローラの駆動を停止させ且つ前記第２のモータで前記レジストローラを駆動することによって前記用紙を搬送する動作、を含む搬送制御動作によって、前記第４の搬送時間間隔よりも小さな第５の搬送時間間隔で、複数の用紙を順次に搬送することを特徴とする画像読取装置。
【請求項１０】
画像読取装置であって、
読取対象の用紙を搬送経路に供給する給紙ローラと、
前記給紙ローラよりも下流側に設けられ、前記用紙をさらに下流側に向けて搬送する搬送ローラと、
前記搬送ローラよりも下流側に設けられ、前記用紙をさらに下流側に向けて搬送するレジストローラと、
前記給紙ローラと前記搬送ローラとを駆動する第１のモータと、
前記レジストローラを駆動する第２のモータと、
前記搬送経路において前記レジストローラよりも下流側の読取位置で原稿を読み取る読取センサと、
前記第１のモータと前記第２のモータとを制御して前記用紙の搬送動作を制御する搬送制御手段と、
読取画質を優先させる画質優先モードと読取処理速度を優先させる速度優先モードとを選択的に設定する設定手段と、
を備え、
前記搬送制御手段は、
搬送方向における前記用紙のサイズが前記搬送ローラの位置と前記読取位置との間の搬送経路長よりも大きく且つ前記速度優先モードが設定されている場合には、前記用紙の上流側端が前記搬送ローラの位置を通過する前であっても前記第１のモータによる前記搬送ローラの駆動を停止させ且つ前記第２のモータで前記レジストローラを駆動することによって、前記用紙を搬送することを特徴とする画像読取装置。
【発明の詳細な説明】
【技術分野】
【０００１】
本発明は、スキャナ装置などの画像読取装置に関する。
【背景技術】
【０００２】
画像読取装置（スキャナ装置およびコピー装置等）の中には、読取対象の複数の用紙（読取原稿とも称する）を読取センサ（ＣＣＤ等）の読取位置に向けて順次に搬送する自動原稿供給部（ＡＤＦ：Auto Document Feeder）を有するものが存在する（特許文献１等参照）。
【０００３】
このような画像読取装置においては、たとえば、給紙ローラと中間ローラとが給紙モータで駆動され、中間ローラよりも下流側に設けられたレジストローラがレジストモータで駆動されることによって、複数の用紙が読取位置に向けて順次に搬送される。すなわち、２種類の搬送ローラ（中間ローラおよびレジストローラ）にそれぞれ駆動用のモータが設けられ、これら２つのモータによって複数の用紙が読取位置に向けて順次に搬送される。
【先行技術文献】
【特許文献】
【０００４】
【特許文献１】特開平９−２８４５１０号公報
【発明の概要】
【発明が解決しようとする課題】
【０００５】
ところで、このような構成において連続的に給紙が行われる場合には、給紙ローラと中間ローラとを駆動可能な給紙モータが連続的に駆動されるため、給紙モータの温度が上昇するという問題が生じる。特に、給紙モータは給紙ローラ駆動時には比較的高速で駆動されるため、給紙モータの温度は上昇しやすい。
【０００６】
これに対して、連続駆動による給紙モータの温度上昇を抑制するため、給紙時間間隔を広げてモータの休止期間を設けることが考えられる。
【０００７】
しかしながら、読取対象の全ての原稿に対して一律に給紙間隔を広げると、単位時間あたりの原稿読取枚数（読取処理速度、あるいは読取処理に関する生産性、とも表現される）が低下してしまうという問題が生じる。
【０００８】
なお、上記特許文献１においては、メモリ容量に応じて、給紙間隔を広げることが記載されている。しかしながら、この技術は、メモリ容量に応じて給紙間隔を変更するものであり、給紙モータの温度上昇を抑制するものではない。また、メモリ容量が十分である場合には、比較的狭い時間間隔で連続的に給紙が行われるため、給紙モータの温度上昇を抑制することは困難であり、上記と同様の問題が生じる。
【０００９】
そこで、この発明は、給紙用のモータの温度上昇を抑制しつつ、読取処理速度の低下をも抑制することが可能な画像読取装置を提供することを課題とする。
【課題を解決するための手段】
【００１０】
上記課題を解決すべく、請求項１の発明は、画像読取装置であって、読取対象の用紙を搬送経路に供給する給紙ローラと、前記給紙ローラよりも下流側に設けられ、前記用紙をさらに下流側に向けて搬送する搬送ローラと、前記搬送ローラよりも下流側に設けられ、前記用紙をさらに下流側に向けて搬送するレジストローラと、前記給紙ローラと前記搬送ローラとを駆動する第１のモータと、前記レジストローラを駆動する第２のモータと、前記搬送経路において前記レジストローラよりも下流側の読取位置で原稿を読み取る読取センサと、前記第１のモータと前記第２のモータとを制御して前記用紙の搬送動作を制御する搬送制御手段と、読取画質を優先させる画質優先モードと読取処理速度を優先させる速度優先モードとを選択的に設定する設定手段と、を備え、前記搬送制御手段は、ａ）第１の状態においては、第１の搬送時間間隔で複数の用紙を順次に搬送し、ｂ）所定条件を充足する第２の状態においては、ｂ−１）前記画質優先モードが設定されている場合には、前記第１の搬送時間間隔よりも大きな第２の搬送時間間隔で複数の用紙を順次に搬送し、ｂ−２）前記速度優先モードが設定されている場合には、前記用紙の下流側端がレジストローラに突き当てられた後から前記用紙の上流側端が前記搬送ローラの位置を通過するまでの期間の少なくとも一部において、前記第１のモータによる前記搬送ローラの駆動を停止させ且つ前記第２のモータで前記レジストローラを駆動することによって前記用紙を搬送する動作、を含む搬送制御動作によって、前記第２の搬送時間間隔よりも小さな第３の搬送時間間隔で、複数の用紙を順次に搬送することを特徴とする。
【００１１】
請求項２の発明は、請求項１の発明に係る画像読取装置において、前記第３の搬送時間間隔は、前記第１の搬送時間間隔に等しいことを特徴とする。
【００１２】
請求項３の発明は、請求項１の発明に係る画像読取装置において、前記所定条件は、１回の連続的スキャン動作中において連続的に読み取った枚数が所定値を超えたこと、を含むことを特徴とする。
【００１３】
請求項４の発明は、請求項１の発明に係る画像読取装置において、前記搬送制御手段は、前記第２の状態において前記速度優先モードが設定されているときには、前記用紙の上流側端が前記搬送ローラによるニップ位置を通過する前であっても、前記レジストローラよりも下流側に設けられた別の搬送ローラに前記用紙がニップされた時点以降において、前記第１のモータによる前記搬送ローラの駆動を停止させ且つ前記第２のモータで前記レジストローラを駆動することを特徴とする。
【００１４】
請求項５の発明は、請求項１の発明に係る画像読取装置において、前記第２の状態において前記速度優先モードが設定されているときには、前記第１のモータの駆動停止期間に前記読取手段により生成された部分画像に対して、画像間引き処理を施す画像処理手段、をさらに備えることを特徴とする。
【００１５】
請求項６の発明は、画像読取装置であって、読取対象の用紙を搬送経路に供給する給紙ローラと、前記給紙ローラよりも下流側に設けられ、前記用紙をさらに下流側に向けて搬送する搬送ローラと、前記搬送ローラよりも下流側に設けられ、前記用紙をさらに下流側に向けて搬送するレジストローラと、前記給紙ローラと前記搬送ローラとを駆動する第１のモータと、前記レジストローラを駆動する第２のモータと、前記搬送経路において前記レジストローラよりも下流側の読取位置で原稿を読み取る読取センサと、前記第１のモータと前記第２のモータとを制御して前記用紙の搬送動作を制御する搬送制御手段であって、前記第１のモータで前記給紙ローラを駆動することによって前記用紙を前記搬送経路に供給し、前記第１のモータで前記搬送ローラを駆動することによって前記用紙の下流側端を前記レジストローラに突き当てるように、前記用紙を搬送する搬送制御手段と、読取画質を優先させる画質優先モードと読取処理速度を優先させる速度優先モードとを選択的に設定する設定手段と、を備え、前記搬送制御手段は、ａ）第１の状態においては、前記用紙の下流側端がレジストローラに突き当てられた後から前記用紙の上流側端が前記搬送ローラの位置を通過するまでは前記第２のモータで前記レジストローラを駆動しつつ前記第１のモータで前記搬送ローラをも駆動して前記用紙を搬送する動作、を含む通常の搬送制御動作を行うことによって、第１の搬送時間間隔で複数の用紙を順次に搬送し、ｂ）所定条件を充足する第２の状態においては、ｂ−１）前記画質優先モードが設定されている場合には、前記用紙の下流側端がレジストローラに突き当てられた後から前記用紙の上流側端が前記搬送ローラの位置を通過するまでは前記第２のモータで前記レジストローラを駆動しつつ前記第１のモータで前記搬送ローラをも駆動して前記用紙を搬送するとともに前記用紙の上流側端が前記搬送ローラの位置を通過した後において前記第１のモータを所定期間停止する動作、を含む第１の搬送制御動作を行うことによって、前記第１の搬送時間間隔よりも大きな第２の搬送時間間隔で複数の用紙を順次に搬送し、ｂ−２）前記速度優先モードが設定されている場合には、前記用紙の下流側端がレジストローラに突き当てられた後から前記用紙の上流側端が前記搬送ローラの位置を通過するまでの期間の少なくとも一部において、前記第１のモータによる前記搬送ローラの駆動を停止させ且つ前記第２のモータで前記レジストローラを駆動することによって前記用紙を搬送する動作、を含む第２の搬送制御動作によって、前記第２の搬送時間間隔よりも小さな第３の搬送時間間隔で、複数の用紙を順次に搬送することを特徴とする。
【００１６】
請求項７の発明は、請求項６の発明に係る画像読取装置において、前記搬送制御手段は、前記第２の状態においては、搬送方向における前記用紙の用紙サイズが前記搬送ローラの位置と前記読取位置との間の搬送経路長よりも大きいことを条件として、前記画質優先モードが設定されている場合には、前記第１の搬送制御動作を行うことによって前記第２の搬送時間間隔で複数の用紙を順次に搬送し、前記速度優先モードが設定されている場合には、前記第２の搬送制御動作を行うことによって前記第３の搬送時間間隔で複数の用紙を順次に搬送することを特徴とする。
【００１７】
請求項８の発明は、請求項６の発明に係る画像読取装置において、前記搬送制御手段は、前記第２の状態においては、前記用紙のサイズが所定サイズよりも大きいことを条件として、前記画質優先モードが設定されているときには、前記第１の搬送制御動作を行うことによって前記第２の搬送時間間隔で複数の用紙を順次に搬送し、前記速度優先モードが設定されているときには、前記第２の搬送制御動作を行うことによって前記第３の搬送時間間隔で複数の用紙を順次に搬送することを特徴とする。
【００１８】
請求項９の発明は、画像読取装置であって、読取対象の用紙を搬送経路に供給する給紙ローラと、前記給紙ローラよりも下流側に設けられ、前記用紙をさらに下流側に向けて搬送する搬送ローラと、前記搬送ローラよりも下流側に設けられ、前記用紙をさらに下流側に向けて搬送するレジストローラと、前記給紙ローラと前記搬送ローラとを駆動する第１のモータと、前記レジストローラを駆動する第２のモータと、前記搬送経路において前記レジストローラよりも下流側の読取位置で原稿を読み取る読取センサと、前記第１のモータと前記第２のモータとを制御して前記用紙の搬送動作を制御する搬送制御手段と、読取画質を優先させる画質優先モードと読取処理速度を優先させる速度優先モードとを選択的に設定する設定手段と、を備え、前記搬送制御手段は、ａ）前記用紙のサイズが所定サイズよりも小さい場合には、ａ−１）通常状態においては、第１の搬送時間間隔で複数の用紙を順次に搬送し、ａ−２）所定条件を充足する特定状態においては、前記第１の搬送時間間隔よりも大きな第２の搬送時間間隔で複数の用紙を順次に搬送し、ｂ）前記用紙のサイズが所定サイズよりも大きい場合には、ｂ−１）前記通常状態においては、第３の搬送時間間隔で複数の用紙を順次に搬送し、ｂ−２）前記特定状態においては、前記画質優先モードが設定されているときには、前記第３の搬送時間間隔よりも大きな第４の搬送時間間隔で複数の用紙を順次に搬送し、前記速度優先モードが設定されているときには、前記用紙の下流側端がレジストローラに突き当てられた後から前記用紙の上流側端が前記搬送ローラの位置を通過するまでの期間の少なくとも一部において、前記第１のモータによる前記搬送ローラの駆動を停止させ且つ前記第２のモータで前記レジストローラを駆動することによって前記用紙を搬送する動作、を含む搬送制御動作によって、前記第４の搬送時間間隔よりも小さな第５の搬送時間間隔で、複数の用紙を順次に搬送することを特徴とする。
【００１９】
請求項１０の発明は、画像読取装置であって、読取対象の用紙を搬送経路に供給する給紙ローラと、前記給紙ローラよりも下流側に設けられ、前記用紙をさらに下流側に向けて搬送する搬送ローラと、前記搬送ローラよりも下流側に設けられ、前記用紙をさらに下流側に向けて搬送するレジストローラと、前記給紙ローラと前記搬送ローラとを駆動する第１のモータと、前記レジストローラを駆動する第２のモータと、前記搬送経路において前記レジストローラよりも下流側の読取位置で原稿を読み取る読取センサと、前記第１のモータと前記第２のモータとを制御して前記用紙の搬送動作を制御する搬送制御手段と、読取画質を優先させる画質優先モードと読取処理速度を優先させる速度優先モードとを選択的に設定する設定手段と、を備え、前記搬送制御手段は、搬送方向における前記用紙のサイズが前記搬送ローラの位置と前記読取位置との間の搬送経路長よりも大きく且つ前記速度優先モードが設定されている場合には、前記用紙の上流側端が前記搬送ローラの位置を通過する前であっても前記第１のモータによる前記搬送ローラの駆動を停止させ且つ前記第２のモータで前記レジストローラを駆動することによって、前記用紙を搬送することを特徴とする。
【発明の効果】
【００２０】
請求項１ないし請求項６に記載の発明によれば、画質優先モードが設定されている場合には、第１の搬送時間間隔よりも大きな第２の搬送時間間隔で複数の用紙が順次に搬送されるので、第１のモータの温度上昇を抑制することができる。また、速度優先モードが設定されている場合には、用紙の上流側端が搬送ローラの位置を通過する前であっても第１のモータによる搬送ローラの駆動が停止され且つ第２のモータでレジストローラが駆動される。したがって、第１のモータの温度上昇を抑制することができるとともに、第２のモータによるレジストローラの駆動を継続することにより読取処理速度の低下を抑制することもできる。
【００２１】
特に、請求項２に記載の発明によれば、読取処理速度の低下を防止することができる。
【００２２】
特に、請求項５に記載の発明によれば、読取手段により生成される読取画像に対して間引き処理が施されるので、速度優先モードが設定されている場合においても画像劣化を抑制することが可能である。
【００２３】
また、請求項９に記載の発明によれば、用紙のサイズが所定サイズよりも小さい場合には、特定状態においては、第１の搬送時間間隔よりも大きな第２の搬送時間間隔で複数の用紙が順次に搬送されるので、第１のモータの温度上昇が緩和される。また、用紙のサイズが所定サイズよりも大きい場合において画質優先モードが設定されているときには、特定状態においては、第２の搬送時間間隔よりも大きな第４の搬送時間間隔で複数の用紙が順次に搬送されるので、第１のモータの温度上昇が緩和される。さらに、用紙のサイズが所定サイズよりも大きい場合において速度優先モードが設定されているときには、特定状態においては、搬送制御手段は、用紙の下流側端がレジストローラに突き当てられた後から用紙の上流側端が搬送ローラの位置を通過するまでの期間の少なくとも一部において、第１のモータによる搬送ローラの駆動を停止させ且つ第２のモータでレジストローラを駆動することによって用紙を搬送する。したがって、第１のモータの温度上昇を抑制することができるとともに、第２のモータによるレジストローラの駆動を継続することにより読取処理速度の低下を抑制することもできる。
【００２４】
また、請求項１０に記載の発明によれば、速度優先モードが設定されている場合には、用紙の上流側端が搬送ローラの位置を通過する前であっても第１のモータによる搬送ローラの駆動が停止され且つ第２のモータでレジストローラが駆動される。したがって、第１のモータの温度上昇が緩和されるとともに、第２のモータによるレジストローラの駆動を継続することにより読取処理速度の低下を抑制することもできる。
【図面の簡単な説明】
【００２５】
【図１】コピー装置（画像読取装置）の概略構成を示す図である。
【図２】一部のローラに関する駆動機構の概略を示す図である。
【図３】コントローラの機能的構成を示すブロック図である。
【図４】通常の搬送動作（用紙サイズ「小」）を示すタイミングチャートである。
【図５】通常の搬送動作（用紙サイズ「大」）を示すタイミングチャートである。
【図６】連続読取時の搬送動作（用紙サイズ「小」）を示すタイミングチャートである。
【図７】連続読取時の搬送動作（用紙サイズ「大」且つ画質優先モード設定時）を示すタイミングチャートである。
【図８】連続読取時の搬送動作（用紙サイズ「大」且つ速度優先モード設定時）を示すタイミングチャートである。
【図９】制御動作を示すフローチャートである。
【図１０】原稿の前端がレジストローラに当接して、原稿の前側にループが形成されている様子を示す図である。
【図１１】小サイズ原稿の後端が中間ローラの位置を通過している様子を示す図である。
【図１２】大サイズ原稿の前端が読取前ローラの位置に到達している様子を示す図である。
【図１３】大サイズ原稿の前端が読取位置に到達している様子を示す図である。
【発明を実施するための形態】
【００２６】
以下、本発明の実施形態を図面に基づいて説明する。
【００２７】
＜１．構成＞
図１は、コピー装置１の概略構成を示す図である。コピー装置１は、スキャナ部３と印刷出力部５とを備えている。コピー装置１は、読取対象の用紙（原稿）に関する画像を読み取る機能を有していることから、画像読取装置とも称される。なお、各図においては、ＸＹＺ直交座標系を用いて方向等を示している。
【００２８】
スキャナ部３は、原稿を光学的に読み取ることによって、当該原稿の画像データを生成する処理部である。
【００２９】
印刷出力部５は、印刷対象に関するデータに基づいて紙などの各種の媒体に画像を印刷出力する出力部である。印刷出力部５としては、電子写真方式あるいはインクジェット方式等の各種の方式のものを採用することができる。
【００３０】
コピー装置１は、原稿に関する画像をスキャナ部３で取得し、当該画像を印刷出力部５で印刷出力することによって、原稿のコピー（複写）機能を実現する。
【００３１】
また、スキャナ部３は、表面（おもて面）読取ユニット１０と裏面読取ユニット２０と原稿搬送部３０とを備える。原稿搬送部３０は、いわゆる自動原稿供給部（ＡＤＦ：auto document feeder）として構成される。なお、ここでは、スキャナ部３は、原稿の両面の画像を自動で読み取る自動両面読取装置として構成されている。
【００３２】
原稿搬送部３０は、原稿（用紙）ＰＡを原稿搬送経路ＣＰに沿って上流側から下流側へと搬送する。原稿搬送部３０は、給紙ローラ３１と中間ローラ３３とレジストローラ３４と読取前ローラ３５と読取後ローラ３６とを含む複数の搬送ローラ（詳細には複数のローラ対）を有している。なお、給紙ローラ３１は、ピックアップローラ３１ａと分離ローラ（捌きローラとも称する）３１ｂとを有する。また、ピックアップローラ３１ａと分離ローラ３１ｂと中間ローラ３３とレジストローラ３４と読取前ローラ３５と読取後ローラ３６とは、この順序で、搬送経路ＣＰにおいて上流側から下流側へと向けて配置されている。
【００３３】
また、原稿搬送部３０は、分離センサ５１と中間センサ５３とレジストセンサ５４と読取前センサ５５とを有している。これらのセンサ５１，５３，５４，５５は、原稿ＰＡの存在を検出することが可能である。たとえば、中間センサ５３は、中間ローラ３３の近傍に設けられており、中間ローラ３３の位置における原稿ＰＡの存否（ひいては、原稿ＰＡの前端および後端がそれぞれ中間ローラ３３の位置を通過したこと）を検出することができる。他のセンサ５４，５５，５１についても同様である。また、分離センサ５１は、分離ローラ（捌きローラ）３１ｂの下流側近傍に設けられており、原稿ＰＡが１枚ずつ分離されていることをも検出する。
【００３４】
図２に示すように、給紙ローラ３１（ピックアップローラ３１ａおよび分離ローラ３１ｂ）と中間ローラ３３とは、給紙モータＭ１によって駆動される。詳細には、給紙ローラ３１は、ギア（不図示）およびクラッチ（電磁クラッチ）ＣＬ１を介して給紙モータＭ１に接続されており、中間ローラ３３は（クラッチを介さずに）ギア（不図示）を介して給紙モータＭ１に接続されている。給紙モータＭ１からの駆動力を給紙ローラ３１へと伝達するか否かを、クラッチＣＬ１の切換動作を用いて切り換えることによって、給紙ローラ３１および中間ローラ３３の双方を駆動する動作と中間ローラ３３のみを駆動する動作とが切り換えられる。給紙モータＭ１は、給紙用のモータでもあり、用紙搬送用のモータでもある。
【００３５】
また、レジストローラ３４は、レジストモータＭ２によって駆動される。さらに、読取前ローラ３５および読取後ローラ３６はモータＭ３によって駆動される。
【００３６】
原稿載置トレイ４１（図１参照）に載置された原稿ＰＡは、ピックアップローラ３１ａによって分離ローラ３１ｂ側へと送り出され、その後、順次、各ローラ３３，３４，３５，３６によって搬送方向下流側へと進行する。原稿ＰＡは、各ローラ３３，３４，３５，３６およびガイド部材３９等によって形成される搬送経路ＣＰに沿って、排出トレイ４８へ向けて進行する。なお、原稿は、分離ローラ３１ｂによって分離され、搬送経路ＣＰにおいて１枚ずつ搬送される。
【００３７】
表面読取ユニット１０は、ここでは縮小光学系型の読取部として構成される。表面読取ユニット１０は、光源１１とリフレクタ１１ｒとミラー１２（１２ａ，１２ｂ，１２ｃ）とレンズ（結像光学系）１４とイメージセンサ（受光センサ）１５とを有している。イメージセンサ１５としては、複数の受光素子（画素）が主走査方向（Ｘ方向）に一次元状（直線状）に配列されたリニアイメージセンサ（ここでは、ＣＣＤラインセンサ等）が用いられる。表面読取ユニット１０の各要素は、いずれも、原稿の搬送経路ＣＰの下側に設けられている。
【００３８】
一方、裏面読取ユニット２０は、ここでは密着型の読取部として構成される。裏面読取ユニット２０は、光源とイメージセンサ（ラインセンサ）とを内蔵するセンサユニットであり、いわゆるＣＩＳ（Contact Image Sensor）として構成される。裏面読取ユニット２０は、原稿の搬送経路ＣＰの上側に設けられている。
【００３９】
このように、原稿が搬送される搬送経路ＣＰの一方面側（下側）には表面読取ユニット１０が設けられ、当該搬送経路ＣＰの他方面側（上側）には裏面読取ユニット２０が設けられている。
【００４０】
原稿搬送部３０により原稿が下流側に搬送されていくタイミングに合わせて表面読取ユニット１０および裏面読取ユニット２０による読取動作が実行されることによって、原稿の両面の画像が並行して取得される。
【００４１】
表面読取ユニット１０の光源１１は、上記の搬送経路ＣＰを通過する原稿の表（おもて）面（下側の面）を下方より照射する。光源１１からの光は、原稿搬送部３０の下面側部材４５，４６の相互間に配置されたプラテンガラス４３を透過し、原稿の表面で反射される。そして、当該反射光（詳細には読取位置Ｐ１０での反射光）はイメージセンサ１５で受光される。イメージセンサ１５は、用紙の幅方向（主走査方向）におけるライン画像を一度に取得する。そして、用紙がその搬送方向（副走査方向）に徐々に移動する際に同様のライン画像の取得動作が繰り返されることによって、原稿の表面に関する２次元の画像（２次元画像）が取得される。換言すれば、表面読取ユニット１０は、原稿ＰＡの表面（おもて面）に関する読取位置Ｐ１０におけるライン画像を繰り返し取得することによって、原稿の画像（２次元画像）を取得する。
【００４２】
また、表面読取ユニット１０による読取動作に並行して、裏面読取ユニット２０による裏面の読取動作が実行される。
【００４３】
裏面読取ユニット２０に内蔵された光源は、上記の搬送経路ＣＰを通過する原稿の裏面（上側の面）を上方より照射する。そして、原稿の裏面で反射された光は、裏面読取ユニット２０内のイメージセンサ（ラインセンサ）で受光される。そして、用紙がその搬送方向（副走査方向）に徐々に移動する際に同様のライン画像の取得動作が繰り返されることによって、原稿の裏面に関する２次元の画像が取得される。換言すれば、裏面読取ユニット２０は、原稿ＰＡの裏面に関する読取位置Ｐ２０におけるライン画像を繰り返し取得することによって、原稿の画像（２次元画像）を取得する。
【００４４】
以上のようにして、スキャナ部３は、表面読取ユニット１０と裏面読取ユニット２０とを用いることによって、原稿の１回の通過動作において、原稿を反転させることなく当該原稿の両面の画像を読み取り、各面の画像データを生成することが可能である。
【００４５】
また、コピー装置１は、コントローラ９をさらに備えている。コントローラ９は、コピー装置１を統括的に制御する制御部である。コントローラ９は、ＣＰＵおよび各種の半導体メモリ（ＲＡＭおよびＲＯＭ等）等を備えるコンピュータシステムとして構成される。コントローラ９は、ＣＰＵにおいて、ＲＯＭ（例えば、ＥＥＰＲＯＭ等）内に格納されている所定のソフトウエアプログラム（以下、単にプログラムとも称する）を実行することによって、各種の処理部（図３参照）を実現する。
【００４６】
図３は、コントローラ９の機能的構成を示すブロック図である。図３に示すように、コントローラ９は、設定部９１と搬送制御部９２と画像データ生成部９３と画像処理部９４とを有する。ここでは、主に画像読取機能に関する各種の処理部について説明する。
【００４７】
設定部９１は、コピー装置１における各種の設定を行う処理部である。たとえば、設定部９１は、コピー装置１の画像読取動作モードを選択的に設定するモード設定処理等を実行する。モード設定処理においては、「画質優先モード」と「速度優先モード」とを含む複数のモードの中から操作者の操作入力等に応じて選択されたモードが、画像読取動作モードとして設定される。「画質優先モード」は、読取画像の画質（読取画質）を優先させるモードであり、「速度優先モード」は、読取処理速度（読取処理に関する生産性）を優先させるモードである。なお、「速度優先モード」は、「生産性優先モード」などとも表現される。
【００４８】
より詳細には、「画質優先モード」としては、写真画像を有する原稿の読み取り等に利用される「写真原稿読取モード」などが例示される。また、「速度優先モード」としては、主に文章を有する原稿の読み取り等に利用される「文字原稿読み取りモード」などが例示される。
【００４９】
搬送制御部９２は、上記の各モータＭ１，Ｍ２，...およびクラッチＣＬ１等の動作を制御して各ローラ３１〜３６等の動作を制御することによって、用紙（原稿）ＰＡの搬送動作を制御する処理部である。
【００５０】
画像データ生成部９３は、原稿ＰＡの読取画像に関する画像データ等を生成する処理部である。
【００５１】
画像処理部９４は、後述する画像間引き処理等の画像処理を実行する処理部である。
【００５２】
＜２．動作＞
＜２−１．通常の搬送動作＞
図４および図５は、本装置１における通常の搬送動作ＣＢを示すタイミングチャートである。
【００５３】
この通常搬送動作ＣＢにおいては、サイズ毎の所定の搬送時間間隔ＴＭ（例えば、Ａ４縦サイズで４０枚／分、Ａ３横サイズで２０枚／分）で複数の用紙が順次に搬送される。原稿ＰＡの用紙サイズが「Ａ４縦サイズ」である場合には、搬送時間間隔（給紙時間間隔とも称される）ＴＭは値ＴＢａ（例えば約１．５秒）に設定され、複数の「Ａ４」用紙が当該用紙の短辺方向において順次搬送される。また、原稿ＰＡの用紙サイズが「Ａ３横サイズ」である場合には、搬送時間間隔ＴＭは値ＴＢｂ（例えば約３秒）に設定され、複数の「Ａ３」用紙が当該用紙の長辺方向において順次搬送される。なお、ここでは、１つの連続読取動作においては、用紙サイズは同一であるものとする。また、この実施形態においては、原稿ＰＡの表面（おもて面）の読取動作について説明する。
【００５４】
まず、図４を参照しながら、用紙サイズが「Ａ４縦」である場合における通常動作について説明する。
【００５５】
まず、給紙モータＭ１の駆動が開始（時刻Ｔ０）されるとともにクラッチＣＬ１が接続状態（時刻Ｔ１〜時刻Ｔ２）にされることによって、給紙ローラ３１（ピックアップローラ３１ａおよび分離ローラ３１ｂ（図１参照））が駆動される。これにより、原稿載置トレイ４１に載置された複数の原稿の中から分離された１枚の原稿ＰＡが、中間ローラ３３に向けて搬送される。このとき、給紙ローラ３１は、給紙モータＭ１によって比較的大きな速度Ｖ２で駆動される。
【００５６】
その後、クラッチＣＬ１の接続解除動作（伝達解除動作）（時刻Ｔ２）によって、給紙モータＭ１の駆動力が給紙ローラ３１へ伝達されなくなる（クラッチオフ）。クラッチＣＬ１の接続解除後も、中間ローラ３３には給紙モータＭ１の駆動力が伝達されており、原稿ＰＡは、中間ローラ３３の回転動作に伴ってレジストローラ３４に向けて更に搬送される。
【００５７】
そして、原稿ＰＡの前端（下流側端）の通過が中間センサ５３により検出された後に所定時間が経過すると、レジストローラ３４に原稿ＰＡの先端が突き当てられ且つスキュー補正のためのループが形成された状態で、給紙モータＭ１が停止し原稿ＰＡも停止する（時刻Ｔ９）。このとき、レジストモータＭ２およびレジストローラ３４は停止中である。詳細には、停止中のレジストローラ３４に対して原稿ＰＡの先端がレジストローラ３４に当接した後も原稿ＰＡの搬送が微小時間に亘って継続された後に給紙ローラ３１の駆動が停止することによって、原稿ＰＡの先端部分がループを形成した状態で原稿ＰＡが停止する（図１０参照）。
【００５８】
その後、給紙モータＭ１およびレジストモータＭ２の駆動が開始（時刻Ｔ１１）されて中間ローラ３３およびレジストローラ３４が駆動される。そして、原稿ＰＡの前端が読取位置Ｐ１０付近に到達すると、比較的低速の読取速度Ｖ１（＜Ｖ２）で原稿ＰＡが搬送され、原稿ＰＡの読取動作が実行される。なお、原稿ＰＡは、搬送経路ＣＰにおいて読取前ローラ３５と読取後ローラ３６との間の読取位置Ｐ１０（各ローラ３１，３３，３４，３５よりも下流側且つ読取後ローラ３６よりも上流側の位置）にて読み取られる。また、当該読取動作は、原稿ＰＡの後端がレジストローラ３４を通過しレジストローラ３４が停止した時刻Ｔ１５以後においても継続され、原稿ＰＡの後端が読み取り位置Ｐ１０を通過した時点で終了する。
【００５９】
搬送経路ＣＰを通過中の読取対象原稿ＰＡ（ＰＡ１とも称する）の後端（上流側端とも称する）が中間センサ５３の位置を通過すると、次の原稿ＰＡ（ＰＡ２とも称する）の給紙が可能であると判定され、当該次の原稿ＰＡ２の給紙が開始される（時刻Ｔ１４）。そして、比較的高速の給紙速度Ｖ２（＞Ｖ１）による搬送動作で原稿ＰＡ２が原稿載置トレイ４１から取り出され、原稿ＰＡ２の前端（下流側端とも称する）がレジストローラ３４に突き当てられ且つ当該原稿ＰＡ２の前側がループを形成した状態で、原稿ＰＡ２が停止する（時刻Ｔ１７）。なお、原稿ＰＡ２の前の原稿ＰＡ１の後端がレジストローラ３４を通過すると、レジストモータＭ２の駆動が停止する（時刻Ｔ１５）。原稿ＰＡ１は、その他のモータＭ３等およびその他のローラ３５，３６等によって、搬送方向下流側に向けて搬送され、排出トレイに排出される。
【００６０】
時刻Ｔ２１においては、給紙モータＭ１とレジストモータＭ２とが再び駆動される。そして、所定の読取速度Ｖ１で原稿ＰＡ２が搬送されて原稿ＰＡ２の読取動作が実行される。
【００６１】
以降同様の動作が繰り返されることによって、複数の原稿ＰＡが順次に所定時間間隔ＴＢ（ＴＢａ）で搬送され、複数の原稿ＰＡに関する読取動作が実行される。
【００６２】
つぎに、図５を参照しながら、用紙サイズが「Ａ３横」である場合における通常動作について説明する。
【００６３】
図５においても図４と同様の動作が実行される。具体的には、上述のように、搬送制御部９２は、まず、給紙モータＭ１で給紙ローラ３１を駆動することによって原稿ＰＡを搬送経路ＣＰに供給する。そして、搬送制御部９２は、給紙モータＭ１で中間ローラ３３を駆動することによって、原稿ＰＡの前端が停止中のレジストローラ３４に突き当たるまで、原稿ＰＡを搬送する。さらに、搬送制御部９２は、原稿ＰＡの前端がレジストローラ３４に突き当てられた後から原稿ＰＡの後端が中間ローラ３３の位置（ニップ位置）を通過するまでは、レジストモータＭ２でレジストローラ３４を駆動しつつ給紙モータＭ１で中間ローラ３３をも駆動することによって原稿ＰＡを搬送する。これにより、搬送経路ＣＰにおいて原稿ＰＡが非常に安定的に搬送される。また、前の原稿ＰＡ（ＰＡ１）の後端が中間センサ５３の位置を通過すると、次の原稿ＰＡ（ＰＡ２）の給紙が開始される。
【００６４】
ただし、図５の動作においては、複数の原稿ＰＡが上記の時間間隔ＴＢａよりも大きな時間間隔ＴＢ（ＴＢｂ）で搬送される点等において、図４の動作と相違する。
【００６５】
＜２−２．モータ温度抑制動作＞
ところで、上述のように通常の搬送動作においては給紙モータＭ１がほぼ連続的に駆動されるため、連続読取枚数が増大すると給紙モータＭ１の温度が上昇するという問題が生じる。特に、給紙モータＭ１は比較的大きな速度Ｖ２（＞Ｖ１）で駆動される期間を有しているため、給紙モータＭ１の温度は上昇し易い。また、給紙モータＭ１の負荷が他のモータＭ２等の各負荷に比べて大きいことも、給紙モータＭ１の温度が上昇し易い要因として挙げられる。
【００６６】
そこで、この実施形態においては、連続読取枚数が所定値（好ましくは、サイズ毎の所定値（例えばＡ４縦サイズでは２０枚、Ａ３横サイズでは１０枚））よりも大きい、との条件Ｃ１の充足性を考慮した上で、次のような動作を行う。なお、当該条件Ｃ１は、１回の連続的スキャン動作中において連続的に読み取った枚数が所定値を超えたこと、とも表現される。
【００６７】
具体的には、条件Ｃ１を充足しない第１の状態ＳＴ１においては、上記の通常搬送動作（図４および図５）が実行される。すなわち、連続読取枚数が比較的小さい場合（１回の連続的スキャン動作中において連続して読み取った枚数が未だ所定値以下である場合）には、上記の通常搬送動作が実行される。
【００６８】
一方、条件Ｃ１を充足する第２の状態ＳＴ２においては、用紙ＰＡのサイズと設定モード（画質優先モード／速度優先モード）とに応じて、次述するような各動作が実行される。すなわち、連続読取枚数が比較的大きい場合（１回の連続的スキャン動作中において連続して読み取った枚数が所定値を超えた場合）には、次述の動作が実行される。
【００６９】
図９は、この実施形態に係る動作を示すフローチャートである。
【００７０】
図９に示すように、１回の連続的スキャン動作（複数枚の原稿ＰＡの読取処理）が完了したことがステップＳＰ１８で判定されるまで、ステップＳＰ１１〜ＳＰ１７の処理が繰り返しされる。ステップＳＰ１１〜ＳＰ１７においては、ステップＳＰ１１，ＳＰ１３，ＳＰ１５の分岐処理に応じた処理（ステップＳＰ１２，ＳＰ１４，ＳＰ１６，ＳＰ１７）が実行される。
【００７１】
まず、ステップＳＰ１１で条件Ｃ１の充足性が判定され、上記の条件Ｃ１が充足されない場合にはステップＳＰ１１からステップＳＰ１２に進み、上述の通常動作が実行される。
【００７２】
一方、条件Ｃ１が充足される場合にはステップＳＰ１１からステップＳＰ１３に進む。ステップＳＰ１３では、原稿サイズに応じた分岐処理が行われる。詳細には、原稿ＰＡのサイズが所定サイズＳＨよりも大きいか否かが判定され、その判定結果に応じた分岐処理が行われる。
【００７３】
なお、所定サイズＳＨは、「搬送方向における用紙サイズ（用紙の長さ）ＰＳが読取位置Ｐ１０と中間ローラ３３との間の搬送経路長Ｌ１よりも大きい場合（ＰＳ＞Ｌ１）には、原稿サイズＰＳが所定サイズＳＨよりも大きいと判定されるように」、定められることが好ましい。たとえば、「Ａ４縦サイズ」の搬送方向における用紙サイズが上記経路長Ｌ１よりも小さく、且つ、１ランク上の「Ａ４横サイズ」（及び更に１ランク上の「Ａ３横サイズ」）の搬送方向における用紙サイズが上記経路長Ｌ１よりも大きい場合には、所定サイズＳＨは、「Ａ４縦サイズ」に定められればよい。この場合、「Ａ４横サイズ」および「Ａ３横サイズ」の原稿ＰＡはそれぞれ所定サイズＳＨよりも大きいと判定され、「Ａ４縦サイズ」の原稿ＰＡは所定サイズＳＨ以下であると判定される。
【００７４】
原稿ＰＡのサイズが所定サイズＳＨ以下である場合（例えば原稿サイズが「Ａ４縦サイズ」の場合）には、ステップＳＰ１４に進み、給紙間隔を増大する第１の制御方式ＣＴ１（ＣＴ１ａ）、による搬送制御動作が実行される（図６参照）。
【００７５】
一方、原稿サイズが所定サイズＳＨよりも大きい場合（例えば原稿サイズが「Ａ３横サイズ」の場合）においては、ステップＳＰ１５に進む。ステップＳＰ１５では、設定モードに応じた分岐処理が行われる。すなわち、原稿サイズが所定サイズＳＨよりも大きい場合には、画質優先モード設定時と速度優先モード設定時とで互いに異なる搬送制御動作が行われる。
【００７６】
画質優先モードが設定されているときには、ステップＳＰ１６に進み、第１の制御方式ＣＴ１（ＣＴ１ｂ）による搬送制御動作が実行される（図７参照）。また、速度優先モードが設定されているときには、ステップＳＰ１７に進み、第２の制御方式ＣＴ２による搬送制御動作が実行される（図８参照）。なお、第１の制御方式ＣＴ１ｂは給紙間隔を増大させるものであるのに対して、第２の制御方式ＣＴ２（ＣＴ２ｂ）は、給紙間隔の増大を抑制するもの（ここでは給紙間隔を変更しないもの）である。
【００７７】
各制御方式ＣＴ１，ＣＴ２のいずれにおいても、原稿ＰＡが原稿載置トレイ４１から供給され、原稿ＰＡの前端が停止中のレジストローラ３４に突き当たるまでは、上述の通常搬送動作ＣＢと同様の搬送動作が実行される。具体的には、搬送制御部９２は、給紙モータＭ１で給紙ローラ３１を駆動することによって原稿ＰＡを搬送経路ＣＰに供給する。そして、搬送制御部９２は、給紙モータＭ１で中間ローラ３３を駆動することによって、原稿ＰＡの前端が停止中のレジストローラ３４に突き当たるまで（詳細には「ループ」が形成されるように）、原稿ＰＡを搬送する。
【００７８】
以下では、主にその後の動作について、各制御方式ごとに説明する。
【００７９】
＜２−２−１．小サイズ＞
原稿ＰＡのサイズが所定サイズＳＨ以下である場合の動作、すなわち第１の制御方式ＣＴ１ａによる搬送制御動作（ステップＳＰ１４）について、図６を参照しながら説明する。
【００８０】
具体的には、原稿ＰＡのサイズが所定サイズＳＨ以下である場合（例えば原稿サイズが「Ａ４縦サイズ」の場合）には、第１の制御方式ＣＴ１（ＣＴ１ａ）による搬送制御動作が実行される。制御方式ＣＴ１ａにおいては、給紙時間間隔ＴＭが比較的大きな値ＴＣに変更されて、当該動作が実行される（図６参照）。たとえば、図６に示すように、給紙時間間隔ＴＭが値ＴＢａ（図４参照）から値ＴＣ１ａに変更される。ここで値ＴＣ１ａは、値ＴＢａよりも大きな値である。
【００８１】
より具体的には、搬送制御部９２は、期間ＰＤ１（次述）において、レジストモータＭ２でレジストローラ３４を駆動しつつ給紙モータＭ１で中間ローラ３３をも駆動することによって、中間ローラ３３およびレジストローラ３４で原稿ＰＡを搬送する。なお、期間ＰＤ１は、原稿ＰＡの前端がレジストローラ３４に突き当てられた後から原稿ＰＡの後端が中間ローラ３３の位置（詳細には、中間センサ５３の位置）を通過するまでの期間であり、たとえば、時刻Ｔ１１から時刻Ｔ１４までの期間である。
【００８２】
そして、搬送制御部９２は、原稿ＰＡの後端が中間ローラ３３の位置を通過（図１１参照）した後に、比較的大きな休止期間ＴＷ（ＴＷａ）に亘って給紙モータＭ１を停止する。詳細には、時刻Ｔ１４において、原稿ＰＡ（ＰＡ１とも称する）の後端が中間ローラ３３の位置を通過すると、次の原稿ＰＡ（ＰＡ２とも称する）の給紙が可能であるにもかかわらず、一旦、給紙モータＭ１の駆動が停止される。そして、所定の待機期間ＴＷａの経過の後に、当該次の原稿ＰＡ２の給紙が開始される（時刻Ｔ２２）。以降、同様の動作が繰り返される。
【００８３】
このような動作によれば、給紙時間間隔ＴＭが比較的大きな値ＴＣ（ＴＣ１ａ）に変更されて、複数の原稿ＰＡの読取動作が実行される。
【００８４】
＜２−２−２．大サイズ（画質優先モード）＞
つぎに、原稿サイズが所定サイズＳＨよりも大きく（端的に言えば用紙サイズが「大」であり）且つ「画質優先モード」が設定されている場合の動作について、図７を参照しながら説明する。この場合には、第１の制御方式ＣＴ１ｂ（ステップＳＰ１５）による搬送制御動作が行われる。ここでは、原稿サイズが「Ａ３横サイズ」であり且つ「画質優先モード」が設定されている状況を想定する。
【００８５】
制御方式ＣＴ１ｂによる搬送制御動作は、上述の制御方式ＣＴ１ａによる搬送制御動作と同様の動作である。ただし、給紙時間間隔ＴＭが通常の時間間隔ＴＢ（ＴＢｂ）（図５）よりも大きな値ＴＣ１ｂ（図７）に変更されて、複数の原稿ＰＡの読取動作が実行される点で、相違する。
【００８６】
具体的には、搬送制御部９２は、原稿ＰＡの前端がレジストローラ３４に突き当てられた後から原稿ＰＡの後端が中間ローラ３３の位置を通過するまでの期間においては、レジストモータＭ２でレジストローラ３４を駆動しつつ給紙モータＭ１で中間ローラ３３をも駆動することによって原稿ＰＡを搬送する。換言すれば、搬送制御部９２は、原稿ＰＡの後端が中間ローラ３３の位置を通過する前には中間ローラ３３の駆動を停止させることなく、原稿ＰＡを搬送する。なお、用紙サイズが比較的大きいため、時刻Ｔ１１から、原稿ＰＡの後端が中間ローラ３３の位置を通過する時点（ここでは時刻Ｔ１６）までの期間は、図４の同様の期間（時刻Ｔ１１〜Ｔ１４）よりも長い。
【００８７】
そして、搬送制御部９２は、原稿ＰＡの後端が中間ローラ３３の位置を通過（時刻Ｔ１６）した後に、比較的大きな休止期間（停止期間）ＴＷ（ＴＷｂ）に亘って給紙モータＭ１を停止する。詳細には、原稿ＰＡ（ＰＡ１とも称する）の後端が中間ローラ３３の位置を通過する時点Ｔ１６において、次の原稿ＰＡ（ＰＡ２とも称する）の給紙が可能であるにもかかわらず、クラッチＣＬ１が接続状態に変更されることなく給紙モータＭ１の駆動が停止される。そして、所定の待機期間ＴＷｂの経過の後に、当該次の原稿ＰＡ２の給紙が開始される（時刻Ｔ５２）。なお、温度上昇の抑制効果を十分に得るためには、待機期間ＴＷｂは、上記の待機期間ＴＷａよりも長い期間に設定されることが好ましい。以降、同様の動作が繰り返される。
【００８８】
このような動作によれば、給紙時間間隔ＴＭが比較的大きな値ＴＣ１ｂに変更されて、複数の原稿ＰＡの読取動作が実行される。
【００８９】
＜２−２−３．大サイズ（速度優先モード）＞
つぎに、原稿サイズが「大」であり且つ「速度優先モード」が設定されている場合の動作、すなわち、第２の制御方式ＣＴ２ｂによる搬送制御動作（ステップＳＰ１７）について、図８を参照しながら説明する。
【００９０】
制御方式ＣＴ２ｂにおける動作は、上述の制御方式ＣＴ１ａ，ＣＴ１ｂにおける動作とは異なる動作である。
【００９１】
具体的には、搬送制御部９２は、原稿ＰＡの前端がレジストローラ３４に突き当てられた直後の時点Ｔ１１から、図１２に示すように原稿ＰＡの前端が読取前ローラ３５の位置に到達する時点までは、レジストモータＭ２でレジストローラ３４を駆動しつつ給紙モータＭ１で中間ローラ３３をも駆動することによって原稿ＰＡを搬送する。
【００９２】
そして、搬送制御部９２は、原稿ＰＡの前端が読取前ローラ３５（ローラ３３，３４以外の搬送ローラ）の位置に到達し、原稿ＰＡがレジストローラ３４に加えて読取前ローラ３５にもニップされた時点（図１２）以降においては、給紙モータＭ１を停止（時刻Ｔ６１）し、レジストモータＭ２による駆動で原稿ＰＡを搬送する。換言すれば、中間ローラ３３の駆動が停止され、レジストローラ３４の駆動力によって原稿ＰＡが搬送される。原稿ＰＡがレジストローラ３４に加えて読取前ローラ３５にもニップされることによって、より安定的な搬送動作が実現される。
【００９３】
このように、「速度優先モード」が設定されている場合には、原稿ＰＡの前端が読取位置Ｐ１０に到達した後且つ原稿ＰＡの後端が中間ローラ３３の位置を通過する前（図１３参照）であっても、搬送制御部９２は、給紙モータＭ１による中間ローラ３３の駆動を停止させ且つレジストモータＭ２でレジストローラ３４を駆動することによって原稿ＰＡを搬送する。
【００９４】
その後、時刻Ｔ６１から所定の休止期間ＴＤ（ＴＤｂ）が経過すると、時刻Ｔ６２において給紙モータＭ１の回転駆動が再開され、次の原稿ＰＡ２の給紙が開始される。ここでは、原稿ＰＡ２の前端が時刻Ｔ４１（図５および図８参照）までにレジストローラ３４に突き当てられるように、給紙モータＭ１の回転駆動が再開されるものとする。
【００９５】
そして、時刻Ｔ４１において、図５と同様に、原稿ＰＡ２に対する搬送動作が再開される。以降、同様の動作が繰り返される。
【００９６】
なお、ここでは、制御方式ＣＴ２ｂにおける搬送時間間隔ＴＣ２ｂ（図８）は、通常搬送動作ＣＢにおける搬送時間間隔ＴＢｂ（図５）と同じ値である場合が例示されているが、本発明はこれに限定されない。搬送時間間隔ＴＣ２ｂは、搬送時間間隔ＴＢｂよりも大きな値であってもよい。ただし、読取処理に関する生産性（読取処理速度）の低下を抑制するため、搬送時間間隔ＴＣ２ｂは、搬送時間間隔ＴＣ１ｂ（図７）よりも小さな値であることが好ましい。
【００９７】
また、この実施形態に係る第２の制御方式ＣＴ２ｂにおいては、画像間引き処理も実行される。上述のように、「速度優先モード」が設定されているときには、原稿ＰＡの後端が中間ローラ３３の位置を通過する前であっても、給紙モータＭ１による中間ローラ３３の駆動が停止され且つレジストモータＭ２でレジストローラ３４が駆動されることによって、原稿ＰＡが搬送される。このとき、給紙モータＭ１および中間ローラ３３の駆動停止に伴って、中間ローラ３３から原稿ＰＡへの駆動力が除去されるのみならず、停止中の中間ローラ３３および停止中の給紙モータＭ１等の慣性に起因する制動負荷が中間ローラ３３から原稿ＰＡに対して作用することがある。その場合、中間ローラ３３の停止後における原稿ＰＡの搬送速度（読取位置Ｐ１０での読取速度）が、中間ローラ３３の停止前における搬送速度に比べて、若干（例えば、１％程度）低下する。そして、このような搬送速度の低下に起因して、読取画像が副走査方向において若干大きくなる（伸びる）。
【００９８】
この画像間引き処理は、このような読取速度の低下に起因する画像の増大を調整する処理である。具体的には、給紙モータＭ１が停止され中間ローラ３３の駆動力が除去された時点（時刻Ｔ６１）から、原稿ＰＡの後端が中間ローラ３３の位置を通過する時点（時刻Ｔ１６）までの期間ＰＤ３に取得された画像に対して、画像間引き処理が施される。すなわち、表面読取ユニット１０および画像データ生成部９３により生成された読取画像のうち、給紙モータＭ１の駆動停止期間に生成された部分画像に対して、画像間引き処理が施される。たとえば、当該期間ＰＤ３において５０００本の走査ラインに関するライン画像が取得される場合には、約１％に相当する５０本の走査ラインのライン画像が間引かれるようにすればよい。これによれば、期間ＰＤ３に生じた画像劣化が抑制される。
【００９９】
＜３．実施形態における効果等＞
以上のような動作によれば、図６に示すように、用紙サイズが「小」である場合には、モータ休止期間ＴＷａが設けられ、搬送時間間隔ＴＢａ（図４）よりも大きな搬送時間間隔ＴＣ１ａ（図６）で複数の原稿ＰＡが順次に搬送される。したがって、給紙ローラ３１と中間ローラ３３とを駆動する給紙モータ（両ローラ３１，３３の駆動用のモータ）Ｍ１の温度上昇が緩和される。
【０１００】
また、図７に示すように、用紙サイズが「大」であり且つ「画質優先モード」が設定されている場合には、モータ休止期間ＴＷｂが設けられ、搬送時間間隔ＴＢｂ（図５）よりも大きな搬送時間間隔ＴＣ１ｂ（図７）で複数の原稿ＰＡが順次に搬送される。したがって、中間ローラ３３等を駆動する給紙モータＭ１の温度上昇が緩和される。
【０１０１】
さらに、図８に示すように、用紙サイズが「大」であり「速度優先モード」が設定されているときには、（搬送経路ＣＰを通過中の）原稿ＰＡの後端（上流側端）が中間ローラ３３の位置を通過する前であっても、給紙モータＭ１による中間ローラ３３の駆動が停止され、モータ休止期間ＴＤｂが設けられる。詳細には、原稿ＰＡの前端がレジストローラ３４に突き当てられた後から原稿ＰＡの後端が中間ローラ３３の位置を通過するまでの期間の少なくとも一部（原稿ＰＡの前端が読取前ローラ３５に到達した後の期間）において、給紙モータＭ１による中間ローラ３３の駆動が停止される。その一方で、レジストローラ３４は、レジストモータＭ２によって回転駆動され続ける。したがって、モータ休止期間ＴＤｂによって給紙モータＭ１の温度上昇が緩和されるとともに、レジストモータＭ２によるレジストローラ３４の駆動を継続することにより、読取処理速度（読取処理に関する生産性）の低下を抑制することもできる。
【０１０２】
ところで、用紙サイズが「大」である場合、換言すれば、搬送方向における用紙サイズ（用紙長さ）ＰＳが、搬送経路ＣＰにおける中間ローラ３３の位置と読取位置Ｐ１０との長さＬ１よりも大きい（ＰＳ＞Ｌ１）場合においては、一律に第２の制御方式ＣＴ２による搬送制御動作を実行する技術（改変例とも称する）も考えられる。
【０１０３】
しかしながら、そのような改変例においては、期間ＰＤ３（給紙モータＭ１が停止され中間ローラ３３の駆動力が除去された時点から、原稿ＰＡの後端が中間ローラ３３の位置を通過する時点までの期間）において、上述のように画像の劣化が生じ得る。
【０１０４】
一方、上記実施形態においては、用紙サイズが「大」であり且つ「速度優先モード」が設定されている場合には、第２の制御方式ＣＴ２による搬送制御動作が実行されるのに対して、用紙サイズが「大」であり且つ「画質優先モード」が設定されている場合には、第１の制御方式ＣＴ１による搬送制御動作が実行される。したがって、設定モードに応じて適切な動作を行うことが可能である。詳細には、「速度優先モード」においては読取処理速度の低下抑制を優先し、「画質優先モード」においては画像の劣化をより確実に回避することが可能である。なお、上記実施形態においては、「速度優先モード」において生じ得る画像の劣化を、画像間引き処理によって回復している。
【０１０５】
＜４．その他＞
以上、この発明の実施の形態について説明したが、この発明は上記説明した内容のものに限定されるものではない。
【０１０６】
たとえば、上記実施形態においては、条件Ｃ１として、「連続読取枚数が所定値よりも大きい」との条件を採用する場合（図９のステップＳＰ１１参照）を例示したが、本発明はこれに限定されない。具体的には、条件Ｃ１として、「給紙モータＭ１の検出温度が所定値以上であること」などを採用するようにしてもよい。
【０１０７】
また、上記実施形態においては、図９のステップＳＰ１３において用紙サイズ（原稿サイズ）ＰＳが所定サイズＳＨよりも大きいか否かが判定され、その判定結果に応じて動作が変更されているが、本発明はこれに限定されない。具体的には、搬送方向における用紙サイズ（用紙長さ）ＰＳが、搬送経路ＣＰにおける中間ローラ３３の位置と読取位置Ｐ１０との長さＬ１よりも大きい（ＰＳ＞Ｌ１）か否かを直接的に判定し、その判定結果に応じて、動作を変更するようにしてもよい。
【０１０８】
また、上記実施形態においては、原稿ＰＡの表面（おもて面）の読取動作について説明したが、本発明はこれに限定されず、原稿ＰＡの裏面に関する動作についても同様の思想を適用することができる。その場合には、たとえば、原稿サイズが原稿ＰＡの裏面に関する読取位置Ｐ２０と中間ローラ３３との間の搬送経路長よりも大きい場合に、画質優先モード設定時と速度優先モード設定時とで切換動作を行うようにすればよい。
【０１０９】
また、上記実施形態においては、用紙サイズが「大」であると判定され且つ「速度優先モード」が設定されているときのみ、第２の制御方式ＣＴ２による搬送制御動作が実行される態様を例示した。しかしながら、本発明はこれに限定されず、用紙のサイズを事前に判定することなく、「速度優先モード」が設定されている場合には、搬送方向における用紙サイズが中間ローラ３３の位置と読取位置Ｐ１０との間の搬送経路長Ｌ１よりも大きいことを条件として常に第２の制御方式ＣＴ２による搬送制御動作が実行されるようにしてもよい。
【０１１０】
また、上記実施形態においては、第２の制御方式ＣＴ２ｂの期間ＰＤ３に生じた画像劣化を画像間引き処理によって回復する技術を例示したが、本発明はこれに限定されない。
【０１１１】
たとえば、画像間引き処理に代えて（或いは画像間引き処理に加えて）、中間ローラ３３にワンウェイクラッチが装備されるようにしてもよい。具体的には、中間ローラ３３の中心側の駆動軸（中心軸）３３１（不図示）と当該駆動軸の外周側の回転部分（外周側回転部分）３３２（不図示）との間にワンウェイクラッチ３３３（不図示）を設けるようにしてもよい。ワンウェイクラッチ３３３は、一方向の力を伝達し他方向の力を伝達しない（空転する）部品である。
【０１１２】
中間ローラ３３の駆動軸３３１が駆動される際には、給紙モータＭ１から駆動軸３３１に伝達された駆動力がワンウェイクラッチ３３３を介して外周側回転部分３３２に伝達され、外周側回転部分３３２が駆動軸３３１と一体的に回転する。このようにして、給紙ローラ３１からの駆動力が中間ローラ３３に伝達され、中間ローラ３３が回転する。
【０１１３】
一方、中間ローラ３３の駆動軸３３１が停止した状態で原稿ＰＡが下流側に搬送される際には、上記と逆向きの力がワンウェイクラッチに作用し、搬送中の原稿ＰＡから力を受けた外周側回転部分３３２が、停止中の駆動軸３３１に対して自由に回転する。これによれば、中間ローラ３３から原稿ＰＡに加わる負荷は著しく低下（理想的には消滅）するため、期間ＰＤ３における画像の劣化自体を著しく抑制することが可能である。
【０１１４】
また、同様に、中間ローラ３３のみならず、ピックアップローラ３１ａおよび分離ローラ３１ｂにおいてもそれぞれワンウェイクラッチが設けられるようにしてもよい。具体的には、ローラ駆動時においては、給紙モータＭ１からクラッチＣＬ１（図２）を介してピックアップローラ３１ａ等の駆動軸に伝達された駆動力が、当該ワンウェイクラッチを介して、ピックアップローラ３１ａ等の外周側回転部分に伝達されるようにする。一方、給紙モータＭ１停止時には、搬送中の原稿ＰＡから力を受けた外周側回転部分がその駆動軸に対して自由に回転するように、当該ワンウェイクラッチが設けられるようにする。これによれば、ピックアップローラ３１ａ等から原稿ＰＡに加わる負荷を著しく低下（理想的には消滅）させて、画像の劣化自体を著しく抑制することが可能である。
【０１１５】
また、上記実施形態においては、画像読取装置として、１回の搬送動作において２種類のセンサを用いて同時に両面を読み取る自動両面読取装置が例示されているが、これに限定されない。たとえば、１種類のセンサを用いて片面ずつ読み取る動作を繰り返すことによって両面を読み取る自動両面読取装置に上記の思想を適用するようにしてもよい。具体的には、用紙の反転動作を伴って両面の画像を所定のセンサで読み取る自動両面読取装置に上記の思想を適用するようにしてもよい。
【０１１６】
また、上記実施形態においては、画像読取装置として、自動両面読取装置を例示したが、これに限定されず、用紙（原稿）の片面のみを読み取る画像読取装置に上記の思想を適用するようにしてもよい。
【０１１７】
また、上記各実施形態においては、画像読取装置としてコピー装置を例示したが、これに限定されず、その他の種類の装置であってもよい。例えば、本発明に係る画像読取装置は、スキャン機能のみを有するスキャナ装置であってもよく、あるいは、逆にスキャン機能に加えて様々な機能（ファクシミリ通信機能等）をも備えた複合機（マルチ・ファンクション・ペリフェラル（ＭＦＰ）とも称する）などであってもよい。
【符号の説明】
【０１１８】
１  コピー装置（画像読取装置）
１０  表面読取ユニット
２０  裏面読取ユニット
３０  原稿搬送部
３１  給紙ローラ
３１ａ  ピックアップローラ
３１ｂ  分離ローラ
３３  中間ローラ
３４  レジストローラ
３５  読取前ローラ
３６  読取後ローラ
４１  原稿載置トレイ
ＣＰ  搬送経路
Ｍ１  給紙モータ
Ｍ２  レジストモータ
Ｐ１０  読取位置
【図１】
2012070026.tif 000003
【図２】
2012070026.tif 000004
【図３】
2012070026.tif 000005
【図４】
2012070026.tif 000006
【図５】
2012070026.tif 000007
【図６】
2012070026.tif 000008
【図７】
2012070026.tif 000009
【図８】
2012070026.tif 000010
【図９】
2012070026.tif 000011
【図１０】
2012070026.tif 000012
【図１１】
2012070026.tif 000013
【図１２】
2012070026.tif 000014
【図１３】
2012070026.tif 000015